(57)【要約】【課題】送信される無線信号の一部が偏波分離器の偏波分離度不足により受信のための回路に回り込むことがあってもデータ伝送特性を良好にする。【解決手段】無線装置は、データ信号Ｄ１で変調された無線信号Ｒ１を生成する送信モジュール１１と、無線信号Ｒ１を２つの無線信号Ｒ２、Ｒ３に分岐させる分配器１２と、偏波分離器１４を介して与えられた無線信号Ｒ２を相手の無線装置に送信するとともに相手の無線装置からの無線信号Ｒ４を受信するアンテナ１３と、アンテナ１３からの無線信号Ｒ４を合波器１６に出力するとともに分配器１２からの無線信号Ｒ２をアンテナ１３に出力する偏波分離器１４と、無線信号Ｒ３を通過させて位相を遅延させるための遅延線路１５と、偏波分離器１４から出力される無線信号Ｒ５と遅延線路１５を経由した無線信号Ｒ３とを合波する合波器１６と、合波後の無線信号Ｒ５を復調する受信モジュール１７とを備える。【選択図】図１
2010050723.tif 000002
【特許請求の範囲】
【請求項１】
データ信号で変調された無線信号を生成する送信モジュールと、
前記無線信号を分岐させる分配器と、
前記分岐された一方の無線信号を送信するとともに無線信号を受信するアンテナと、
前記アンテナから入力された無線信号を合波器に出力するとともに前記分配器から入力された無線信号を前記アンテナに出力する偏波分離器と、
前記分岐された他方の無線信号を通過させて位相を遅延させるための遅延線路と、
前記偏波分離器から出力される無線信号と前記遅延線路を経由した無線信号とを合波する合波器と、
前記合波後の無線信号を復調する受信モジュールと
を備えることを特徴とする無線装置。
【請求項２】
前記分配器の分配率は、前記偏波分離器から前記合波器への無線信号に含まれる前記一方の無線信号の成分の強度と前記遅延線路を経由して前記合波器に与えられる無線信号の強度とが同じになるように定められていることを特徴とする請求項１記載の無線装置。
【請求項３】
前記分配器から前記偏波分離器を経由して前記合波器に至る線路長と前記分配器から前記遅延線路を経由して前記合波器に至る線路長との差は当該分配器に与えられる無線信号の波長の１／２であることを特徴とする請求項１記載の無線装置。
【請求項４】
データ信号で変調されたＩＦ信号を生成する変調器と、
前記ＩＦ信号を分岐させる分配器と、
前記分岐された一方のＩＦ信号の周波数を上昇させ、上昇後の周波数を有する無線信号を発生させるアップコンバータと、
前記周波数の上昇後の無線信号を送信するとともに無線信号を受信するアンテナと、
前記アンテナから入力された無線信号をダウンコンバータに出力するとともに前記アップコンバータから入力された無線信号を前記アンテナに出力する偏波分離器と、
前記分岐された他方のＩＦ信号を通過させて位相を遅延させるための遅延線路と、
前記偏波分離器から出力される無線信号の周波数を低下させ、低下後の周波数を有するＩＦ信号を発生させるダウンコンバータと、
前記周波数の低下後のＩＦ信号と前記遅延線路を経由したＩＦ信号とを合波する合波器と、
前記合波後のＩＦ信号を復調する復調器と
を備えることを特徴とする無線装置。
【請求項５】
前記分配器の分配率は、前記ダウンコンバータから前記合波器へのＩＦ信号に含まれる前記一方のＩＦ信号の成分の強度と前記遅延線路を経由して前記合波器に与えられるＩＦ信号の強度とが同じになるように定められていることを特徴とする請求項４記載の無線装置。
【請求項６】
前記ダウンコンバータは、前記偏波分離器からの無線信号を増幅する無線信号増幅器と、前記周波数の低下後のＩＦ信号を出力するミキサとを有し、
前記無線装置は、
前記遅延線路を経由するＩＦ信号を増幅するＩＦ信号増幅器と、
前記ミキサから出力されるＩＦ信号の強度を検出し、該強度が一定となるように当該無線信号増幅器の増幅率を制御するとともに、当該増幅率に応じて前記ＩＦ信号増幅器の増幅率を制御する増幅率制御回路とを備えることを特徴とする請求項４記載の無線装置。
【請求項７】
前記増幅率制御回路は、前記ミキサから出力されるＩＦ信号に含まれる前記一方のＩＦ信号の成分の強度と前記遅延線路を経由して前記合波器に与えられたＩＦ信号の強度とが同じになるようにすることを特徴とする請求項６記載の無線装置。
【請求項８】
前記分配器から前記偏波分離器を経由して前記合波器に至る線路長と前記分配器から前記遅延線路を経由して前記合波器に至る線路長との差は当該分配器に与えられるＩＦ信号の波長の１／２であることを特徴とする請求項４ないし７のいずれかに記載の無線装置。
【発明の詳細な説明】
【技術分野】
【０００１】
本発明は、双方向の偏波多重通信を行う無線装置に関するものである。
【背景技術】
【０００２】
近年、無線通信の大容量化に対応すべく、ミリ波を用いた無線通信システムが開発されている。例えば、６０ＧＨｚ帯の電波を用いた通信速度１．２５Ｇｂｐｓを有するギガビットイーサネット（登録商標）信号（ＧｂＥ信号）を伝送可能な無線通信システムも既に開発されている。また、１２０ＧＨｚ帯の電波を使用して１０ギガビットイーサネット信号（１０ＧｂＥ信号）を伝送可能な無線通信システムも開発されている。  これらの広帯域ＩＰ信号の伝送には、１チャネルあたりの伝送に非常に広い帯域が必要となる。これらの無線通信システムにおいて双方向通信を行うために、周波数多重伝送を行うと、１つの無線通信システムで２チャネル分の帯域を占有する。
【０００３】
占有する帯域を広げずに双方向通信を実現する手法の１つが偏波多重伝送技術である。偏波多重伝送技術とは、偏波の異なる電波に別々のデータを変調して伝送する手法である。この手法を使用すれば、同一の周波数を用いて、２チャネル分のデータを伝送することが可能となる。
【０００４】
偏波多重伝送技術を用いた無線通信システムには、偏波を分離するための偏波分離器が使用される。非特許文献１では、ミリ波帯用の各種の偏波分離器が提案されている。
【０００５】
ところで、こららの偏波分離器においては、偏波間の偏波分離度（アイソレーション）が３０〜４０ｄＢ程度しか得られない。また、無線通信システムでは、受信される無線信号の強度よりも、送信される無線信号の強度が極めて高い。そのため、データ伝送特性が劣化するという問題が生じる。
【０００６】
図４は、無線通信システムにおける無線装置の構成を示すブロック図である。
【０００７】
図４の無線装置では、送信モジュール１１がデータ信号Ｄ１で変調された無線信号Ｒ１を生成する。偏波分離器１４は、無線信号Ｒ１をアンテナ１３に与える。アンテナ１３は、無線信号Ｒ１を空間に放射する。
【０００８】
相手の無線装置は、図４の無線装置に送信しようとするデータ信号を変調し、これにより生成された無線信号Ｒ４を空間に放射する。アンテナ１３は、無線信号Ｒ４を受信し、偏波分離器１４に与える。偏波分離器１４は、アンテナ１３から入力された無線信号Ｒ４を受信モジュール１７に出力するとともに、送信モジュール１１から入力された無線信号Ｒ１をアンテナ１３に出力しかつ受信モジュール１７には出力しないように設計されている。しかしながら、偏波分離器１４のアイソレーション特性が不足している場合、送信モジュール１１から入力された無線信号Ｒ１の一部（Ｒ１’）が受信モジュール１７に出力される。よって、この場合、偏波分離器１４からの無線信号Ｒ５は無線信号Ｒ４だけでなく無線信号Ｒ１の成分Ｒ１’を含む。受信モジュール１７は、無線信号Ｒ５を復調し、復調により得られたデータ信号Ｄ２を出力する。
【０００９】
前述のように、無線信号Ｒ５は無線信号Ｒ１の成分Ｒ１’を含むので、データ信号Ｄ２は、無線信号Ｒ５に含まれる無線信号Ｒ１の成分Ｒ１’に相当するデータ信号Ｄ１’を含む。そのため、データ信号Ｄ２は、相手の無線装置におけるデータ信号に等しくならない場合がある。すなわち、送信される無線信号の一部が受信のための回路に回り込み、データ伝送特性が劣化する。
【非特許文献１】米田  他「９０ＧＨｚ帯分岐導波路形偏分波器」信学技法ＥＭＣＪ９７−７０，  ｐｐ．１３３−１３８
【非特許文献２】ＩＥＥＥ  ＴＲＡＮＳＡＣＴＩＯＮ  ＯＮ  ＭＩＣＲＯＷＡＶＥ  ＴＨＥＯＲＹ  ＡＮＤ  ＴＥＣＨＮＩＱＵＥＳ，  ＶＯＬ．  ５３，  ＮＯ．  １２，  ＤＥＣＥＭＢＥＲ  ２００５
【発明の開示】
【発明が解決しようとする課題】
【００１０】
本発明は、上記の課題に鑑みてなされたものであり、その目的とするところは、送信される無線信号の一部が偏波分離器の偏波分離度不足により受信のための回路に回り込むことがあってもデータ伝送特性を良好にできる無線装置を提供することにある。
【課題を解決するための手段】
【００１１】
上記の課題を解決するために、第１の本発明に係る無線装置は、データ信号で変調された無線信号を生成する送信モジュールと、前記無線信号を分岐させる分配器と、前記分岐された一方の無線信号を送信するとともに無線信号を受信するアンテナと、前記アンテナから入力された無線信号を合波器に出力するとともに前記分配器から入力された無線信号を前記アンテナに出力する偏波分離器と、前記分岐された他方の無線信号を通過させて位相を遅延させるための遅延線路と、前記偏波分離器から出力される無線信号と前記遅延線路を経由した無線信号とを合波する合波器と、前記合波後の無線信号を復調する受信モジュールとを備えることを特徴とする。
【００１２】
例えば、前記分配器の分配率は、前記偏波分離器から前記合波器への無線信号に含まれる前記一方の無線信号の成分の強度と前記遅延線路を経由して前記合波器に与えられる無線信号の強度とが同じになるように定められていることを特徴とする。
【００１３】
例えば、前記分配器から前記偏波分離器を経由して前記合波器に至る線路長と前記分配器から前記遅延線路を経由して前記合波器に至る線路長との差は当該分配器に与えられる無線信号の波長の１／２であることを特徴とする。
【００１４】
第２の本発明に係る無線装置は、データ信号で変調されたＩＦ信号を生成する変調器と、前記ＩＦ信号を分岐させる分配器と、前記分岐された一方のＩＦ信号の周波数を上昇させ、上昇後の周波数を有する無線信号を発生させるアップコンバータと、前記周波数の上昇後の無線信号を送信するとともに無線信号を受信するアンテナと、前記アンテナから入力された無線信号をダウンコンバータに出力するとともに前記アップコンバータから入力された無線信号を前記アンテナに出力する偏波分離器と、前記分岐された他方のＩＦ信号を通過させて位相を遅延させるための遅延線路と、前記偏波分離器から出力される無線信号の周波数を低下させ、低下後の周波数を有するＩＦ信号を発生させるダウンコンバータと、前記周波数の低下後のＩＦ信号と前記遅延線路を経由したＩＦ信号とを合波する合波器と、前記合波後のＩＦ信号を復調する復調器とを備えることを特徴とする。
【００１５】
例えば、前記分配器の分配率は、前記ダウンコンバータから前記合波器へのＩＦ信号に含まれる前記一方のＩＦ信号の成分の強度と前記遅延線路を経由して前記合波器に与えられるＩＦ信号の強度とが同じになるように定められていることを特徴とする。
【００１６】
例えば、前記ダウンコンバータは、前記偏波分離器からの無線信号を増幅する無線信号増幅器と、前記周波数の低下後のＩＦ信号を出力するミキサとを有し、前記無線装置は、前記遅延線路を経由するＩＦ信号を増幅するＩＦ信号増幅器と、前記ミキサから出力されるＩＦ信号の強度を検出し、該強度が一定となるように当該無線信号増幅器の増幅率を制御するとともに、当該増幅率に応じて前記ＩＦ信号増幅器の増幅率を制御する増幅率制御回路とを備えることを特徴とする。
【００１７】
例えば、前記増幅率制御回路は、前記ミキサから出力されるＩＦ信号に含まれる前記一方のＩＦ信号の成分の強度と前記遅延線路を経由して前記合波器に与えられたＩＦ信号の強度とが同じになるようにすることを特徴とする。
【００１８】
例えば、前記分配器から前記偏波分離器を経由して前記合波器に至る線路長と前記分配器から前記遅延線路を経由して前記合波器に至る線路長との差は当該分配器に与えられるＩＦ信号の波長の１／２であることを特徴とする。
【発明の効果】
【００１９】
本発明によれば、送信される無線信号の一部が偏波分離器の偏波分離度不足により受信のための回路に回り込むことがあってもデータ伝送特性を良好にできる。
【発明を実施するための最良の形態】
【００２０】
以下、本発明の実施の形態を図面を参照して説明する。
【００２１】
［第１の実施の形態］
図１は、第１の実施の形態に係る無線装置の構成を示すブロック図である。無線装置は、図示しない相手の無線装置との間で双方向の偏波多重通信を行うものである。
【００２２】
無線装置は、図示しない外部の装置から入力されたデータ信号Ｄ１で変調された無線信号Ｒ１を生成する送信モジュール１１と、無線信号Ｒ１を２つの無線信号Ｒ２、Ｒ３に分岐させる分配器１２と、偏波分離器１４を介して与えられた一方の無線信号Ｒ２を空間に放射して相手の無線装置に送信するとともに相手の無線装置から送信された無線信号Ｒ４を受信するアンテナ１３と、アンテナ１３から入力された無線信号Ｒ４を合波器１６に出力するとともに分配器１２から入力された無線信号Ｒ２をアンテナ１３に出力する偏波分離器１４と、分配器１２により分岐された他方の無線信号Ｒ３を通過させて位相を遅延させるための遅延線路１５と、偏波分離器１４から出力される無線信号Ｒ５と遅延線路１５を経由した無線信号Ｒ３とを合波する合波器１６と、合波後の無線信号Ｒ６を復調する受信モジュール１７とを備える。
【００２３】
偏波分離器１４からの無線信号Ｒ５は無線信号Ｒ４だけでなく無線信号Ｒ２の成分Ｒ２’を含む場合があり、分配器１２の分配率、すなわち、無線信号Ｒ２、Ｒ３の強度の比率は、偏波分離器１４から合波器１６への無線信号Ｒ５に含まれる無線信号Ｒ２の成分Ｒ２’の強度と合波器１６に与えられる無線信号Ｒ３の強度とが同じになるように定められている。
【００２４】
分配器１２から偏波分離器１４を経由して合波器１６に至る線路長と分配器１２から遅延線路１５を経由して合波器１６に至る線路長との差は無線信号Ｒ１の波長の１／２である。
【００２５】
図１の無線装置では、送信モジュール１１が所定の搬送波をデータ信号Ｄ１で変調し無線信号Ｒ１を生成する。分配器１２は、無線信号Ｒ１を２つの無線信号Ｒ２、Ｒ３に分岐させる。偏波分離器１４は、無線信号Ｒ２をアンテナ１３に与える。アンテナ１３は、無線信号Ｒ２を空間に放射する。相手の無線装置は、無線信号Ｒ２を受信および復調し、復調によりデータ信号Ｄ１が得られる。
【００２６】
また、相手の無線装置は、図１の無線装置に送信しようとするデータ信号を変調し、生成された無線信号Ｒ４を空間に放射する。アンテナ１３は、無線信号Ｒ４を受信し、偏波分離器１４に与える。偏波分離器１４は、アンテナ１３から入力された無線信号Ｒ４を合波器１６に出力するとともに、分配器１２から入力された無線信号Ｒ２をアンテナ１３に出力しかつ合波器１６には出力しないように設計されている。しかしながら、偏波分離器１４のアイソレーション特性が不足している場合、分配器１２から入力された無線信号Ｒ２の一部（Ｒ２’）が合波器１６に出力される。よって、偏波分離器１４からの無線信号Ｒ５は無線信号Ｒ４だけでなく無線信号Ｒ２の成分Ｒ２’を含む。
【００２７】
一方、遅延線路１５は、無線信号Ｒ３を通過させて位相を遅延させる。合波器１６は、、偏波分離器１４からの無線信号Ｒ５と遅延線路１５を経由した無線信号Ｒ３とを合波する。受信モジュール１７は、合波後の無線信号Ｒ６を復調し、復調により得られたデータ信号Ｄ２を出力する。
【００２８】
前述のように、分配器１２から偏波分離器１４を経由して合波器１６に至る線路長と分配器１２から遅延線路１５を経由して合波器１６に至る線路長との差は無線信号Ｒ１の波長の１／２であるので、合波器１６への無線信号Ｒ５に含まれる無線信号Ｒ２の成分Ｒ２’と遅延線路１５を経由して合波器１６に与えられる無線信号Ｒ３との間には経路の差と同じ１／２波長の位相差が生じる。これにより、合波器１６は、無線信号Ｒ５に含まれる無線信号Ｒ２の成分Ｒ２’と無線信号Ｒ３とが互いに打ち消すように動作する。
【００２９】
また、前述のように、分配器１２の分配率は、無線信号Ｒ５に含まれる無線信号Ｒ２の成分Ｒ２’の強度と合波器１６に与えられる無線信号Ｒ３の強度とが同じになるように定められているので、合波器１６では、無線信号Ｒ５に含まれる無線信号Ｒ２の成分Ｒ２’と無線信号Ｒ３とが互いに打ち消す。
【００３０】
これにより、無線信号Ｒ６は無線信号Ｒ４に等しくなり、データ信号Ｄ２は、相手の無線装置における変調前のデータ信号に等しくなる。
【００３１】
以上のように、第１の実施の形態によれば、偏波分離器１４の偏波分離度が不足している場合であっても、データ信号を受信でき、もって、データ伝送特性を良好にできる。    なお、第１の実施の形態では、分配器１２から偏波分離器１４を経由して合波器１６に至る線路長と分配器１２から遅延線路１５を経由して合波器１６に至る線路長との差を無線信号Ｒ１の波長の１／２としたが、かかる設定は必須でなく、少なくとも、合波器１６への無線信号Ｒ５に含まれる無線信号Ｒ２の成分Ｒ２’と遅延線路１５を経由して合波器１６に与えられる無線信号Ｒ３との間に位相差が生じていればよい。これにより、合波器１６は、少なくとも、無線信号Ｒ５に含まれる無線信号Ｒ２の成分Ｒ２’と無線信号Ｒ３とが互いに打ち消すように動作するからである。
【００３２】
また、第１の実施の形態では、分配器１２の分配率を、無線信号Ｒ５に含まれる無線信号Ｒ２の成分Ｒ２’の強度と合波器１６に与えられる無線信号Ｒ３の強度とが同じになるように定めたが、当該強度どうしは同じでなくてもよい。前述の位相差が生じていれば、合波器１６は、少なくとも、当該無線信号Ｒ２の成分Ｒ２’と無線信号Ｒ３とが互いに打ち消すように動作するからである。
【００３３】
［第２の実施の形態］
図２は、第２の実施の形態に係る無線装置の構成を示すブロック図である。無線装置は、図示しない相手の無線装置との間で双方向の偏波多重通信を行うものである。
【００３４】
図示しない外部の装置から入力されたデータ信号Ｄ１１で変調されたＩＦ信号Ｒ１１を生成するＩＦ帯変調器（以下、変調器という）２１と、ＩＦ信号Ｒ１１を２つのＩＦ信号Ｒ１２、Ｒ１３に分岐させる分配器２２と、分岐された一方のＩＦ信号Ｒ１２の周波数を上昇させ、上昇後の周波数を有する無線信号Ｒ１４を発生させるアップコンバータ２３と、偏波分離器２５を介して与えられた周波数の上昇後の無線信号Ｒ１４を空間に放射して相手の無線装置に送信するとともに相手の無線装置から送信された無線信号Ｒ１５を受信するアンテナ２４と、アンテナ２４から入力された無線信号Ｒ１５をダウンコンバータ２７に出力するとともにアップコンバータ２３から入力された無線信号をアンテナ２４に出力する偏波分離器２５と、分配器２２により分岐された他方のＩＦ信号Ｒ１３を通過させて位相を遅延させるための遅延線路２６と、偏波分離器２５から出力される無線信号Ｒ１６の周波数を低下させ、低下後の周波数を有するＩＦ信号１７を発生させるダウンコンバータ２７と、周波数の低下後のＩＦ信号Ｒ１７と遅延線路２６を経由したＩＦ信号Ｒ１３とを合波する合波器２８と、合波後のＩＦ信号Ｒ１８を復調するＩＦ帯復調器（以下、復調器という）２９とを備える。
【００３５】
ダウンコンバータ２７からのＩＦ信号Ｒ１７は無線信号Ｒ１５に相当する分だけでなくＩＦ信号Ｒ１２の成分Ｒ１２’を含む場合があり、分配器２２の分配率、すなわち、ＩＦ信号Ｒ１２、Ｒ１３の強度の比率は、合波器２８へのＩＦ信号Ｒ１７に含まれるＩＦ信号Ｒ１２の成分Ｒ１２’の強度と遅延線路２６を経由して合波器２８に与えられるＩＦ信号Ｒ１３の強度とが同じになるように定められている。
【００３６】
また、分配器２２から偏波分離器２５を経由して合波器２８に至る線路長と分配器２２から遅延線路２６を経由して合波器２８に至る線路長との差はＩＦ信号Ｒ１１の波長の１／２である。
【００３７】
図２の無線装置では、変調器２１が所定の搬送波をデータ信号Ｄ１１で変調してＩＦ信号Ｒ１１を生成する。ＩＦ信号Ｒ１１は、中間周波数（ＩＦ：Intermediate Frequency)帯の無線信号である。分配器２２は、ＩＦ信号Ｒ１１を２つのＩＦ信号Ｒ１２、Ｒ１３に分岐させる。アップコンバータ２３は、分岐された一方のＩＦ信号Ｒ１２の周波数を上昇させ、上昇後の周波数を無線信号Ｒ１４を発生させる。偏波分離器２５は、周波数の上昇後の無線信号Ｒ１４をアンテナ２４に与える。アンテナ２４は、無線信号Ｒ１４を空間に放射する。相手の無線装置は、無線信号Ｒ１４を受信および復調し、復調により得られたデータ信号Ｄ１１を出力する。
【００３８】
また、相手の無線装置は、図２の無線装置に送信しようとするデータ信号を変調し、生成された無線信号Ｒ１５を空間に放射する。アンテナ２４は、無線信号Ｒ１５を受信し、偏波分離器２５に与える。偏波分離器２５は、アンテナ２４から入力された無線信号Ｒ１５をダウンコンバータ２７に出力するとともに、アップコンバータ２３から入力された無線信号Ｒ１４をアンテナ２４に出力しかつダウンコンバータ２７には出力しないように設計されている。しかしながら、偏波分離器２５のアイソレーション特性が不足している場合、アップコンバータ２３から入力された無線信号Ｒ１４の一部（Ｒ１４’）がダウンコンバータ２７に出力される。よって、偏波分離器２５からの無線信号Ｒ１６は無線信号Ｒ１５だけでなく無線信号Ｒ１４の成分Ｒ１４’を含む。
【００３９】
ダウンコンバータ２７は、無線信号Ｒ１６の周波数を低下させ、低下後の周波数を有するＩＦ信号Ｒ１７を発生させる。周波数低下後のＩＦ信号Ｒ１７は、中間周波数帯の無線信号である。偏波分離器２５の偏波分離度が不足している場合、ダウンコンバータ２７から出力されるＩＦ信号Ｒ１７は無線信号Ｒ１５に相当する分だけでなくＩＦ信号Ｒ１２の成分Ｒ１２’を含む。
【００４０】
一方、遅延線路２６は、ＩＦ信号Ｒ１３を通過させて位相を遅延させる。合波器２８は、ＩＦ信号Ｒ１７と遅延線路２６を経由したＩＦ信号Ｒ１３とを合波する。復調器２９は、合波後のＩＦ信号Ｒ１８を復調し、復調により得られたデータ信号Ｄ１２を出力する。  前述のように、分配器２２から偏波分離器２５を経由して合波器２８に至る線路長と分配器２２から遅延線路２６を経由して合波器２８に至る線路長との差はＩＦ信号Ｒ１１の波長の１／２であるので、合波器２８へのＩＦ信号Ｒ１７に含まれるＩＦ信号Ｒ１２の成分Ｒ１２’と遅延線路２６を経由して合波器２８に与えられるＩＦ信号Ｒ１３との間には経路の差と同じ１／２波長の位相差が生じる。これにより、合波器２８は、ＩＦ信号Ｒ１７に含まれるＩＦ信号Ｒ１２の成分Ｒ１２とＩＦ信号Ｒ１３とを互いが打ち消すように動作する。
【００４１】
また、前述のように、分配器２２の分配率は、ＩＦ信号Ｒ１７に含まれるＩＦ信号Ｒ１２の成分Ｒ１２’の強度と遅延線路２６を経由して合波器２８に与えられるＩＦ信号Ｒ１３の強度とが同じになるように定められているので、合波器２８では、ＩＦ信号Ｒ１７に含まれるＩＦ信号Ｒ１２の成分Ｒ１２’とＩＦ信号Ｒ１３とが互いに打ち消す。
【００４２】
これにより、ＩＦ信号Ｒ１８は無線信号Ｒ１５に相当するものとなり、データ信号Ｄ１２は、相手の無線装置における変調前のデータ信号に等しくなる。
【００４３】
以上のように、第２の実施の形態によれば、偏波分離器２５の偏波分離度が不足している場合であっても、データ信号を受信でき、もって、データ伝送特性を良好にできる。    なお、第２の実施の形態では、分配器２２から偏波分離器２５を経由して合波器２８に至る線路長と分配器２２から遅延線路２６を経由して合波器２８に至る線路長との差はＩＦ信号Ｒ１１の波長の１／２としたが、かかる設定は必須でなく、少なくとも、合波器２８へのＩＦ信号Ｒ１７に含まれるＩＦ信号Ｒ１２の成分Ｒ１２’と遅延線路２６を経由して合波器２８に与えられるＩＦ信号Ｒ１３との間に位相差が生じていればよい。これにより、合波器２８は、少なくとも、ＩＦ信号Ｒ１７に含まれるＩＦ信号Ｒ１２の成分Ｒ１２’とＩＦ信号Ｒ１３とがを互いに打ち消すように動作するからである。
【００４４】
また、第２の実施の形態では、分配器２２の分配率を、ＩＦ信号Ｒ１７に含まれるＩＦ信号Ｒ１２の成分Ｒ１２’の強度と合波器２８に与えられるＩＦ信号Ｒ１３の強度とが同じになるように定めたが、当該強度どうしは同じでなくてもよい。前述の位相差が生じていれば、合波器２８は、少なくとも、ＩＦ信号Ｒ１７に含まれるＩＦ信号Ｒ１２の成分Ｒ１２’とＩＦ信号Ｒ１３とが互いに打ち消すように動作するからである。
【００４５】
［第３の実施の形態］
図３は、第３の実施の形態に係る無線装置の構成を示すブロック図である。無線装置は、第２の実施の形態に係る無線装置を構成する大部分の要素を備え、当該要素には同一符号が付与されている。以下、かかる要素の重複説明を省略し、差異を中心に説明する。
【００４６】
ダウンコンバータ２７は、偏波分離器２５からの無線信号Ｒ１６を増幅する無線信号増幅器２７１と、周波数の低下後のＩＦ信号Ｒ１７を出力するミキサ２７２を有する。
【００４７】
無線装置は、遅延線路２６を経由するＩＦ信号Ｒ１３を増幅するＩＦ信号増幅器２１０と、無線信号増幅器２７１による増幅後のＩＦ信号の強度を検出し、該強度が一定となるように無線信号増幅器２７１の増幅率を制御するとともに、当該増幅率に応じてＩＦ信号増幅器２１０の増幅率を制御する増幅率制御回路２１１とを備える。ＩＦ信号増幅器２１０は、図のように遅延線路２６と合波器２８の間に、または、図示しないが、分配器２２と遅延線路２６の間に配置される。
【００４８】
増幅率制御回路２１１は、ミキサ２７２から出力されるＩＦ信号Ｒ１７に含まれるＩＦ信号Ｒ１２の成分Ｒ１２’の強度と遅延線路２６を経由して合波器２８に与えられたＩＦ信号Ｒ１３の強度とが同じになるようにＩＦ信号増幅器２１０の増幅率を制御するようになっている。したがって、分配器２２の分配率は任意に設定されている。
【００４９】
例えば、増幅率制御回路２１１は、ミキサ２７２から出力されるモニタ電圧により強度を検出し、当該モニタ電圧が一定となるように無線信号増幅器２７１に与えるゲイン調整電圧を制御するとともに、当該ゲイン調整電圧に基づいて、ＩＦ信号増幅器２１０に与えるゲイン調整電圧を調整する。
【００５０】
なお、第２の実施の形態と同様に、分配器２２から偏波分離器２５を経由して合波器２８に至る線路長と分配器２２から遅延線路２６を経由して合波器２８に至る線路長との差はＩＦ信号Ｒ１１の波長の１／２である。
【００５１】
図３の無線装置では、図２の無線装置と同様に、相手の無線装置とで無線信号を送受信する。
【００５２】
また、図３の無線装置では、同様に、線路長の差の設定により、合波器２８が、ＩＦ信号Ｒ１７に含まれたＩＦ信号Ｒ１２の成分Ｒ１２’とＩＦ信号Ｒ１３とが互いに打ち消すように動作する。
【００５３】
また、前述のように、増幅率制御回路２１１は、ＩＦ信号Ｒ１７に含まれるＩＦ信号Ｒ１２の成分Ｒ１２’の強度と遅延線路２６を経由して合波器２８に与えられたＩＦ信号Ｒ１３の強度とが同じになるようにＩＦ信号増幅器２１０の増幅率を制御する。これにより、合波器２８では、ＩＦ信号Ｒ１７に含まれるＩＦ信号Ｒ１２の成分Ｒ１２’とＩＦ信号Ｒ１３とが互いに打ち消す。
【００５４】
これにより、ＩＦ信号Ｒ１８は無線信号Ｒ１５に相当するものとなり、データ信号Ｄ１２は、相手の無線装置における変調前のデータ信号に等しくなる。
【００５５】
以上のように、第３の実施の形態によれば、偏波分離器２５の偏波分離度が不足している場合であっても、データ信号を受信でき、もって、データ伝送特性を良好にできる。    なお、第３の実施の形態では、第２の実施の形態と同様に、分配器２２から偏波分離器２５を経由して合波器２８に至る線路長と分配器２２から遅延線路２６を経由して合波器２８に至る線路長との差はＩＦ信号Ｒ１１の波長の１／２としたが、かかる設定は必須でなく、少なくとも、合波器２８へのＩＦ信号Ｒ１７におけるＩＦ信号Ｒ１２の成分Ｒ１２’と遅延線路２６を経由して合波器２８に与えられるＩＦ信号Ｒ１３との間に位相差が生じていればよい。これにより、合波器２８は、少なくとも、ＩＦ信号Ｒ１７に含まれるＩＦ信号Ｒ１２の成分Ｒ１２’とＩＦ信号Ｒ１３とが互いに打ち消すように動作するからである。
【００５６】
また、第３の実施の形態では、増幅率制御回路２１１は、ＩＦ信号Ｒ１７に含まれるＩＦ信号Ｒ１２の成分Ｒ１２’の強度と遅延線路２６を経由して合波器２８に与えられたＩＦ信号Ｒ１３の強度とが同じになるようにＩＦ信号増幅器２１０の増幅率を制御したが、当該強度どうしは同じでなくてもよい。前述の位相差が生じていれば、合波器２８は、少なくとも、ＩＦ信号Ｒ１７に含まれるＩＦ信号Ｒ１２の成分Ｒ１２’とＩＦ信号Ｒ１３とが互いに打ち消すように動作するからである。
【図面の簡単な説明】
【００５７】
【図１】第１の実施の形態に係る無線装置の構成を示すブロック図である。
【図２】第２の実施の形態に係る無線装置の構成を示すブロック図である。
【図３】第３の実施の形態に係る無線装置の構成を示すブロック図である。
【図４】従来における無線装置の構成を示すブロック図である。
【符号の説明】
【００５８】
１１…送信モジュール
１２、２２…分配器
１３、２４…アンテナ
１４、２５…偏波分離器
１５、２６…遅延線路
１６、２８…合波器
１７…受信モジュール
２１…変調器
２３…アップコンバータ
２７…ダウンコンバータ
２９…復調器
２１０…ＩＦ信号増幅器
２７１…無線信号増幅器
２１１…増幅率制御回路
２７２…ミキサ
Ｄ１、Ｄ２、Ｄ１１、Ｄ１２…データ信号
Ｒ１、Ｒ２、Ｒ３、Ｒ４、Ｒ５、Ｒ１４、Ｒ１５、Ｒ１６…無線信号
Ｒ１１、Ｒ１２、Ｒ１３、Ｒ１７、Ｒ１８…ＩＦ信号
Ｒ１’…無線信号Ｒ１の成分
Ｒ２’…無線信号Ｒ２の成分
Ｒ１２’…ＩＦ信号Ｒ１２の成分
Ｒ１４’…無線信号Ｒ１４の成分
【図１】
2010050723.tif 000003
【図２】
2010050723.tif 000004
【図３】
2010050723.tif 000005
【図４】
2010050723.tif 000006